(57)【要約】【課題】部品点数を増やすことなく外部からの力や衝撃に対し強靱であり、かつ安全基準を満たすことができる整流ルーバを提供すること【解決手段】整流ルーバ２０は、その先端が下方に向け形成されており、略長方形状であり、筐体１９に開設された孔部に取り付けられている。整流ルーバ２０は画像形成装置１０に対して内側方向に延設された３枚の水平枠体２１、２２、２３、と同様に垂直方向に設けられた３枚の垂直枠体２４、２５、２６を備えている。水平枠体２１、２２、２３、垂直枠体２４、２５、２６で形成される略長方形上の４つの枠内に整流板２７が形成されている。また、水平枠体２１、２２、２３はその気流に沿う延設寸法は、整流板２７に比して大きく形成されている。【選択図】図３
2006275500.tif 000002
【特許請求の範囲】
【請求項１】
整流作用をなす複数の整流板部材を備え、被取り付け装置の内部と外部との間で吸気・排気される空気を整流する整流ルーバにおいて、一部の前記整流板部材を空気の流れに沿う奥行き方向で他の整流板部材より延長して形成したことを特徴とする整流ルーバ。
【請求項２】
前記複数の整流板のうち前記延長した整流板部材を所定の段数おきに配したことを特徴とする請求項１の整流ルーバ。
【請求項３】
前記整流板部材の延長部位を、前記被取り付け装置の内部側に配したことを特徴とする請求項１または２の整流ルーバ。
【請求項４】
前記整流板部材と直交するリブを少なくとも１つ備えることを特徴とする請求項１ないし３のいずれかの整流ルーバ。
【請求項５】
前記直交するリブの前記奥行き方向での寸法が、該奥行き方向での寸法が短い整流板部材よりも長いことを特徴とする請求項４の整流ルーバ。
【請求項６】
外縁枠部を備えていることを特徴とする請求項１ないし５のいずれかの整流ルーバ。
【請求項７】
他の整流板部材より延長して形成した前記整流板部材よりも前記外縁枠部の奥行き方向寸法が長いことを特徴とする請求項６の整流ルーバ。
【請求項８】
延長して形成した前記整流板部材または該整流板部材と直交する前記リブと、前記外縁枠部とで矩形、コの字形等の筒状を形成したことを特徴とする請求項６または７の整流ルーバ。
【請求項９】
前記整流ルーバが前記被取り付け装置の外装の一部をなすことを特徴とする請求項１ないし８のいずれかの整流ルーバ。
【請求項１０】
前記外縁枠部が円筒状を有し、前記被取り付け装置に回動自在に取り付けられていることを特徴とする請求項６ないし９のいずれかの整流ルーバ。
【請求項１１】
前記外縁枠部と、該外縁枠部の内部に設けられた整流板とが一体形成されたことを特徴とする請求項６ないし１０のいずれかの整流ルーバ。
【請求項１２】
請求項１ないし１１の整流ルーバを備えたことを特徴とする吸気または排気装置。
【請求項１３】
請求項１ないし１０のいずれかの整流ルーバを筐体カバーの一部に備えることを特徴とする吸気または排気装置。
【請求項１４】
請求項１２または１３の吸気または排気装置を備えたことを特徴とする画像形成装置。
【発明の詳細な説明】
【技術分野】
【０００１】
本発明は、整流ルーバ、給気または排気装置、画像形成装置に係り、特に複数の整流板を備え、装置の内部と外部との間で吸気・排気される空気を整流する整流ルーバ、吸気または排気装置、画像形成装置に関する。
【背景技術】
【０００２】
画像形成装置には、装置内部を冷却するため吸気装置及び排気装置が設けられる。このような吸気装置・排気装置は、モータで駆動されるファンで外気を装置内部に吸気し、または内気を装置外部に排気するものである。
【０００３】
このような吸気装置・排気装置には、装置の筐体に吸入口または排出口を開設し、この吸入口または排出口に整流用の整流板を備えた整流ルーバを配置する。
【０００４】
整流ルーバを備えた吸気または排気装置として従来以下のものがある。特許文献１、２には、トナー画像を該転写材上に定着させる定着器と、該定着器等を制御する制御手段と、該定着器及び制御手段等に電気を供給する電源手段と、該電源手段等の熱源で発生した熱風をファンに導くダクトと、装置全体をカバーし、該ファンからの熱風を外部に導くルーバが形成された外装とを有する画像形成装置において、該ルーバの近傍に、該ファンの開口部から該ルーバまでの空間に突出するリブを該外装と一体的に設け、該リブの高さは、該ファンの開口部から該ルーバまでの距離より大きくしたものが記載されている。
【０００５】
特許文献３、４には、本体前板に回転自在に装着した排気口と排気ボックスとを断面円形の排気ダクトで連給することにより、排気口を回転させてルーバの方向を任意の方向に変え、石油給湯機設置近辺の立木や壁面の燃焼排ガスよりの保護と、排気ダクトの消音マフラー効果により燃焼排ガスの排出騒音を低減できるものが記載されている。
【０００６】
特許文献５には、ファンモータは、支持体に排気スペーサと共にファンモータ止めネジを用いて共締めし、画像形成装置本体の側面カバーに固定し、画像形成装置の内部で発生した熱気は、画像形成装置本体内の構造体に形成した排気ダクトを通り、排気スペーサを経てファンモータにより強制的に支持体一体の整流ルーバより排出し、熱気の排出方向は、側面カバーの外側に露出している支持体指掛けに指を掛け、任意の向きに支持体を回転させることにより自由に変更することができるものが記載されている。
【０００７】
特許文献６には、円形にくり抜いた取り付け口の内側に配置される同心の円柱形のルーバ部品からなり、円柱軸に対し一定の角度で傾く整風板を備え、かつ、取り付けの同心円軸に沿って回転可能な構成としたものが記載されている。
【０００８】
【特許文献１】特開平０５−１９６３０５号公報
【特許文献２】特開平０６−３１８０２８号公報
【特許文献３】特開平０６−３１８０２８号
【特許文献４】特開平０５−１９６３０５号公報
【特許文献５】特開２００２−２４８８３６号公報
【特許文献６】特開２００３−０７８２６８号公報
【発明の開示】
【発明が解決しようとする課題】
【０００９】
このような整流ルーバを備えた吸気または排気装置にあっては、安全基準上、ルーバの整流板の間隔は、危険部位への接触防止、異物の混入を防止等の理由により所定寸法より狭くする必要がある。また、安全基準上、整流ルーバは外部からの力や衝撃に対し、強靭である必要もある。これに対応して整流ルーバの整流板を長く形成することが考えられるが、気流の抵抗が増すなど熱流上好ましくない。
【００１０】
本発明は上記課題に鑑みなされたものであり、部品点数を増やすことなく外部からの力や衝撃に対し強靱であり、かつ安全基準を満たすことができる整流ルーバ、吸気または排気装置及び画像形成装置を提供することを目的とする。
【課題を解決するための手段】
【００１１】
本発明の請求項１に係る整流ルーバは、整流作用をなす複数の整流板部材を備え、被取り付け装置の内部と外部との間で吸気・排気される空気を整流する整流ルーバにおいて、一部の前記整流板部材を空気の流れに沿う奥行き方向で他の整流板部材より延長して形成したことを特徴とする。
【００１２】
同請求項２に係るものは、請求項１の整流ルーバにおいて、前記複数の整流板のうち前記延長した整流板部材を所定の段数おきに配したことを特徴とする。
【００１３】
同請求項３に係るものは、請求項１または２の整流ルーバにおいて、前記整流板部材の延長部位を、前記被取り付け装置の内部側に配したことを特徴とする。
【００１４】
同請求項４に係るものは、請求項１ないし３のいずれかの整流ルーバにおいて、  前記整流板部材と直交するリブを少なくとも１つ備えることを特徴とする。
【００１５】
同請求項５に係るものは、請求項４の整流ルーバにおいて、前記直交するリブの前記奥行き方向での寸法が、該奥行き方向での寸法が短い整流板部材よりも長いことを特徴とする。
【００１６】
同請求項６に係るものは、請求項１ないし５のいずれかの整流ルーバにおいて、外縁枠部を備えていることを特徴とする。
【００１７】
同請求項７に係るものは、請求項６の整流ルーバにおいて、他の整流板部材より延長して形成した前記整流板部材よりも前記外縁枠部の奥行き方向寸法が長いことを特徴とする。
【００１８】
同請求項８に係るものは、請求項６または７の整流ルーバにおいて、延長して形成した前記整流板部材または該整流板部材と直交する前記リブと、前記外縁枠部とで矩形、コの字形等の筒状を形成したことを特徴とする。
【００１９】
請求項９に係るものは、請求項１ないし８のいずれかの整流ルーバにおいて、前記整流ルーバが前記被取り付け装置の外装の一部をなすことを特徴とする。
【００２０】
請求項１０に係るものは、請求項６ないし９のいずれかの整流ルーバにおいて、前記外縁枠部が円筒状を有し、前記被取り付け装置に回動自在に取り付けられていることを特徴とする。
【００２１】
請求項１１に係るものは、請求項６ないし１０のいずれかの整流ルーバにおいて、前記外縁枠部と、該外縁枠部の内部に設けられた整流板とが一体形成されたことを特徴とする。
【００２２】
本発明の請求項１２に係る吸気または排気装置は、請求項１ないし１１の整流ルーバを備えたことを特徴とする。
【００２３】
請求項１３に係るものは、請求項１ないし１０のいずれかの整流ルーバを筐体カバーの一部に備えることを特徴とする。
【００２４】
本発明の請求項１４に係る画像形成装置は、請求項１２または１３の吸気または排気装置を備えたことを特徴とする。
【発明の効果】
【００２５】
本発明に係る整流ルーバ、吸気または排気装置及び画像形成装置は、部品点数を増やすことなく外部からの力や衝撃に対し強靱であり、かつ安全基準を満たすことができるという効果がある。
【発明を実施するための最良の形態】
【００２６】
以下本発明を実施するための最良の形態としての実施例を図面に基づいて説明する。
【実施例１】
【００２７】
以下、本発明の実施形態を図面に基づいて詳細に説明する。図１は実施例に係る画像形成装置の構造を示す断面図、図２は実施例に係る整流ルーバを装置の内部から見た斜視図、図３は実施例に係る整流ルーバを示す断面図である。
【００２８】
本実施例に係る画像形成装置１０は、図１に示すように、感光体ベルト１１に光学系１２からの光を当て露光し、例えばイエロー（Ｙ）、マゼンタ（Ｍ）、シアン（Ｃ）ブラック（Ｂｋ）の各色画像を現像装置１３でトナー像を形成し、２次中間転写ベルト１６に順次重ねて転写し、この転写された画像を転写装置１５で用紙に転写し、定着器１８で定着してカラー画像を形成するものである。なお、図中１４は感光体ベルト１１のクリーナ、１７は２次中間転写ベルトのクリーナを示している。本例では画像形成装置１０の筐体には電源ユニット、モータ等で発生した熱は、モータで駆動されるファンにより排気ダクトを通り整流ルーバ２０から装置外部に排出される。
【００２９】
本例において、整流ルーバ２０は、図２及び図３に示すように、略矩形の平面形状と略台形状の側面形状を有するものであり、画像形成装置１０の筐体１９に開設された孔部に取り付けられている。本例では、整流ルーバ２０は筐体１９に対して内側方向に延設された３枚の水平枠体２１、２２、２３、と同様に垂直方向に設けられた３枚の垂直枠体２４、２５、２６を備えている。また、整流ルーバ２０は前記水平枠体２１、２２、２３、垂直枠体２４、２５、２６で形成される略長方形上の４つの枠内にそれぞれ形成される整流板２７とから形成されている。本例において、これらの水平枠体２１、２２、２３、垂直枠体２４、２５、２６及び整流板２７は整流板部材として整流作用をなす。また、この例では整流ルーバ２０には下部に突出部２８が形成され、整流ルーバ２０は合成樹脂で一体に形成されている。
【００３０】
また水平枠体２１、２２、２３と垂直枠体２４、２５、２６は、それぞれ整流板２７よりも空気の流れ方向、すなわち筐体１９に対する取り付け方向で筐体１９の内側に向けて延長して形成してある。水平枠体２１と下部に突出部２８及び垂直枠体２４、２６は、整流ルーバ２０としての外枠を構成し、垂直方向のリブとなる垂直枠体２５も含め、整流板２７よりも延長形成した部位が矩形を形成することで、整流ルーバ２０としてのより強度アップを実現させている。もちろん整流板２７と直交するリブである垂直枠体２５も強度を向上させている。
【００３１】
すなわち、この種のルーバは、整流板の部分が基本的には柔らかい形状となっているので、強い力や衝撃を受けると、外枠だけ残して整流板が根元から折れてしまい、危険部位に指などが入ってしまいます。そこで、ルーバとしての流量を確保したままで簡単に構造的に強くなっている。
【００３２】
なおルーバとしての奥行き寸法が長ければ長いほど、また整流板２７の間隔が狭ければ狭いほど、通過する宇空気の流れにおける圧力損失が大きくなり、流量が急激に低下するので、ルーバとしての奥行きを全部の部材について長くすることはあまり好ましくない。
【００３３】
また本例では、図３に示すように水平枠体２１、２２、２３はその気流に沿う延設寸法は、整流板２７に比して大きく形成されており、その結果整流ルーバの整流作用をなす整流板部材が１段もおきに延長されていることとなる。また、本例では、水平枠体２１、２２、２３と整流板２７の装置外側方向の先端部は下方に向け傾斜形成され、排出される排気が図３中の矢印の方向に排出されることとなる。
【００３４】
本例では、整流ルーバを以上のように構成したから、整流効果を低下させることなく、外部からの力や衝撃に対し強度を保持することができる。
【実施例２】
【００３５】
次に本発明の他の実施例に係る整流ルーバ３０について説明する。この整流ルーバ３０は整流ルーバ３０全体を円形として、画像形成装置に対して回転可能に構成したものである。本例では、整流ルーバ３０は円形の外縁枠体３１を備え、その内部に回転軸に対して平行に形成した整流板部材３２、３３を設けている。
【００３６】
本実施例では、水平枠体と垂直枠体をなす、整流板部材３２がそれぞれ、上述のように整流板部材３３よりも筐体の内側に向けて延長して形成してある。そしてこれら延長形成した部位が矩形あるいは略台形等の形状を形成することで、整流ルーバ３０としてのより強度アップを実現させている。
【００３７】
本例によれば、画像形成装置を一定個所に配置したまま整流ルーバ３０を図中矢印方向に回転して排風方向を変更することができる他、整流効果を低下させることなく、外部からの力や衝撃に対して強度を有するものとすることができる。
【００３８】
なお上記例では、整流板部材を１段おきに設けた例を示したが、所定の段数おきに延長することができる。
【図面の簡単な説明】
【００３９】
【図１】実施例に係る画像形成装置の構造を示す断面図である。
【図２】実施例に係る整流ルーバを示す斜視図である。
【図３】実施例に係る整流ルーバを示す断面図である。
【図４】他の実施例に係る整流ルーバを示す斜視図である。
【符号の説明】
【００４０】
１０・・・画像形成装置
１１・・・感光体ベルト
１２・・・光学系
１３・・・現像装置
１４・・・クリーナ
１５・・・転写装置
１６・・・２次転写ベルト
１７・・・クリーナ
１８・・・定着器
１９・・・筐体
２０・・・整流ルーバ
２１、２２、２３・・・水平枠体
２４、２５、２６・・・垂直枠体
２７・・・整流板
２８・・・突出部
３０・・・整流ルーバ
３１・・・外縁枠体
３２・・・整流板部材
３３・・・整流板部材
【図１】
2006275500.tif 000003
【図２】
2006275500.tif 000004
【図３】
2006275500.tif 000005
【図４】
2006275500.tif 000006